(57)【要約】【課題】  電源トラブルによる端末装置の破損を未然に防止すること。【解決手段】  ＵＰＳ管理プログラム７を監視する監視プログラム１４を別に動作させることにより、万が一ＵＰＳ管理プログラム７がハングアップして給電監視動作ができなくなった場合は、監視プログラム１４がＵＰＳ管理プログラム７を再起動コマンド１６にて再起動させる。この再起動にて給電監視動作が復旧しない場合は、ＵＰＳ管理プログラム７の代わりに監視プログラム１４からシャットダウン命令９をＯＳ８へ出力する。このように常にＵＰＳ３の給電状態の監視動作を有効な状態に保持する。【選択図】      図１
2006109203.tif 000002
【特許請求の範囲】
【請求項１】
通信及び情報処理を行う端末装置に対して電源のバックアップを行う無停電電源装置から前記端末装置に対する給電状態を監視する無停電電源装置管理手段を有する無停電電源装置の給電監視装置において、
前記無停電電源装置管理手段が行う給電状態監視動作を確認し、その給電状態監視動作が異常であれば無停電電源装置管理手段に再起動を実行させ、この再起動により給電状態監視動作が復旧しなければ、前記端末装置の処理中データを記憶手段に保存して当該端末装置をシャットダウンする処理を実行させる監視手段
を備えたことを特徴とする無停電電源装置の給電監視装置。
【発明の詳細な説明】
【技術分野】
【０００１】
本発明は、無停電電源装置から電源が供給されるパソコン（パーソナルコンピュータ）やサーバ等の端末装置において、無停電電源装置の給電状態を監視することによって停電発生時にデータ等を保存してシステムを安全に停止する無停電電源装置の給電監視装置に関する。
【背景技術】
【０００２】
無停電電源装置から給電を行う一般的な給電システムは、図３に示すように、商用電源１に給電ケーブル２を介してＵＰＳ(Uninterruptible Power Supply：無停電電源装置)３が接続され、このＵＰＳ３に給電ケーブル４及び通信ケーブル５を介してパソコン（又はサーバ）６が接続されて構成されている。
パソコン６は、図４に示すように、ＵＰＳ３の給電状態を監視する給電監視装置１０としてＵＰＳ管理プログラム７を備えている。このＵＰＳ管理プログラム７は、商用電源１が停電してＵＰＳ３が内蔵バッテリから電源を供給するバッテリ運転モードとなったことを検出し、内蔵バッテリのエネルギーが消耗して給電不可能となる以前にシャットダウン命令９をＯＳ(Operating System)８へ出力する。これによってパソコン６が処理中のデータやファイルを記憶手段に記憶したのちシャットダウンするようになっている。
【０００３】
この種の従来の給電システムとして、例えば特許文献１に記載のものがある。
【特許文献１】特開２０００−７８２２４号公報
【発明の開示】
【発明が解決しようとする課題】
【０００４】
しかし、従来の給電監視装置であるＵＰＳ管理プログラム７は、パソコン６内に１つのみ設定されるようになっており、また、当該プログラム７の機能が不全になっても、それを外部へ通知する機能を持ち合わせていない。このため、ＵＰＳ管理プログラム７が何らかの要因によりハングアップした際に商用電源２１が停電した場合、ＵＰＳ３はバッテリ運転モードとなって内蔵バッテリからパソコン６へ給電し続けるが、パソコン６ではＵＰＳ管理プログラム７が不全となっているので、そのバッテリ運転モードであることを検出することができない。この状態でパソコン６が稼動を続けていると、内蔵バッテリのエネルギーを消費し続けるのでＵＰＳ３が給電不能となり、パソコン６への給電が突然途絶えるダーティーシャットダウン状態となる。
【０００５】
このダーティーシャットダウンが発生した場合、パソコン６の処理途中のデータが喪失したり、ファイルが破損したりする端末装置のシステム破損が誘引されるという問題がある。
本発明は、このような課題に鑑みてなされたものであり、電源トラブルによる端末装置の破損を未然に防止することができる無停電電源装置の給電監視装置を提供することを目的としている。
【課題を解決するための手段】
【０００６】
上記目的を達成するために、本発明の請求項１による無停電電源装置の給電監視装置は、通信及び情報処理を行う端末装置に対して電源のバックアップを行う無停電電源装置から前記端末装置に対する給電状態を監視する無停電電源装置管理手段を有する無停電電源装置の給電監視装置において、前記無停電電源装置管理手段が行う給電状態監視動作を確認し、その給電状態監視動作が異常であれば無停電電源装置管理手段に再起動を実行させ、この再起動により給電状態監視動作が復旧しなければ、前記端末装置の処理中データを記憶手段に保存して当該端末装置をシャットダウンする処理を実行させる監視手段を備えたことを特徴とする。
この構成によれば、無停電電源装置管理手段の機能が不全になっても、監視手段によって端末装置を適正にシャットダウンさせることができるので、従来のような端末装置の処理途中のデータの喪失やファイル破損などの端末装置のシステム破損を防止することができる。
【発明の効果】
【０００７】
以上説明したように本発明によれば、電源トラブルによる端末装置の破損を未然に防止することができるという効果がある。
【発明を実施するための最良の形態】
【０００８】
以下、本発明の実施の形態を、図面を参照して説明する。
図１は、本発明の実施の形態に係る無停電電源装置の給電監視装置をパソコンに用いた給電システムのブロック構成図である。但し、図１に示す本実施の形態において、図３に示した従来例の各部に対応する部分には同一符号を付し、その説明を省略する。
図１に示す給電監視装置１２が、図４に示した従来の給電監視装置１０と異なる点は、監視プログラム１４を追加したことにある。
【０００９】
監視プログラム１４は、ＵＰＳ管理プログラム７にパソコン６内部の特定通信ポートで接続されており、応答確認コマンド１５によってＵＰＳ管理プログラム７の動作状態をチェックし、この結果、動作状態が異常であれば再起動コマンド１６によって再起動を実行させ、この再起動によって復旧しなければＯＳ８にシャットダウン命令９を出力するものである。
【００１０】
このような監視プログラム１４の動作を、図２に示すフローチャートを参照して説明する。
まず、ＵＰＳ管理プログラム７がＵＰＳ３の給電状態をモニタリング中であるとする。ここで、ステップＳ１において、監視プログラム１４が特定通信ポートを介して応答確認コマンド１５をＵＰＳ管理プログラム７へ送出することによって当該プログラム７の動作状態をチェックする。
【００１１】
ＵＰＳ管理プログラム７が正常動作中であれば、応答確認コマンド１５による問合せに対して所定の応答があるようになっているので、ステップＳ２において、ＵＰＳ管理プログラム７から所定の応答があったか否かが判断される。所定の応答があれば、ステップＳ３において、監視プログラム１４は、ＵＰＳ管理プログラム７が正常動作中であると判断する。
【００１２】
一方、所定の応答がなければ、ステップＳ４において、監視プログラム１４は、ＵＰＳ管理プログラム７が異常であると判断する。この場合、ステップＳ５において、監視プログラム１４が再起動コマンド１６をＵＰＳ管理プログラム７へ送出し、再起動の実行によって給電監視動作の復旧を試みる。この再起動コマンド１６の送出後、所定時間後に、ステップＳ６において、再度、応答確認コマンド１５を送出し、ステップＳ７において、所定の応答があるか否かを判断する。所定の応答があれば、ステップＳ８において、ＵＰＳ管理プログラム７が正常動作中であると判断する。
【００１３】
一方、所定の応答がなければ、ステップＳ９において、監視プログラム１４は、ＯＳ８にシャットダウン命令９を出力する。これによってパソコン６が処理中のデータやファイルを記憶手段に記憶したのちシャットダウンする。
なお、ステップＳ９のように、ＯＳ８にシャットダウン命令９を出力するのでなく、管理者に対してアラームを発行するようにしてもよく、又は、それら双方の処理を行うようにしてもよい。
【００１４】
以上説明したように本実施の形態の給電監視装置１２によれば、ＵＰＳ管理プログラム７を監視する監視プログラム１４を別に動作させることにより、万が一ＵＰＳ管理プログラム７がハングアップして給電監視動作ができなくなっても、監視プログラム１４がＵＰＳ管理プログラム７を再起動させ、又は、代わりにＯＳ８にシャットダウン命令９を出力するようにした。これによって、常にＵＰＳ３の給電状態の監視動作を有効な状態に保持することができるので、電源トラブルによる端末装置の破損を未然に防止することができる。
【図面の簡単な説明】
【００１５】
【図１】本発明の実施の形態に係る無停電電源装置の給電監視装置をパソコンに用いた給電システムのブロック構成図である。
【図２】上記実施の形態に係る無停電電源装置の給電監視装置の監視プログラムの動作を説明するためのフローチャートである。
【図３】従来の無停電電源装置を用いた給電システムのブロック構成図である。
【図４】従来の無停電電源装置の給電監視装置をパソコンに用いた給電システムのブロック構成図である。
【符号の説明】
【００１６】
１  商用電源
２，４  給電ケーブル
５  通信ケーブル
６  パソコン
７  ＵＰＳ管理プログラム
９  シャットダウン命令
１０，１２  給電監視装置
１４  監視プログラム
１５  応答確認コマンド
１６  再起動コマンド
【図１】
2006109203.tif 000003
【図２】
2006109203.tif 000004
【図３】
2006109203.tif 000005
【図４】
2006109203.tif 000006